(57)【要約】  【課題】  枠組足場の通路終端部に設置する作業安全性の高い枠組足場用手摺枠を提供する。  【解決手段】  枠組足場Ａの通路終端部に設置する枠組足場用手摺枠１であって、手摺枠１の両側部には建枠Ｂ両側の各脚柱Ｃに固定する固定クランプ２をそれぞれ備える。また、手摺枠１の下端部には幅木３を備えると共に、この幅木３の下端縁には足場板Ｆ端部の上縁角部Ｆａに係止させる断面略Ｌ字形状の係止片４を備える。そして、この手摺枠１を枠組足場Ａの通路終端部に取り付けると、足場板Ｆ端部に幅木３が載置され、作業上の危険な隙間なくなって高い作業安全性を確保することができる。【選択図】  図５
2006348626.tif 000002
【特許請求の範囲】
【請求項１】
建枠を上方向並びに水平方向に所望数配置して組み上げる枠組足場の通路終端部に設置する枠組足場用手摺枠であって、手摺枠の両側部には建枠両側の各脚柱に固定する固定クランプを備えると共に、手摺枠の下端部には略建枠幅の幅木を備え、かつ幅木の下端縁には足場板端部の上縁角部に係止させる断面略Ｌ字形状の係止片を備えたことを特徴とする枠組足場用手摺枠。
【発明の詳細な説明】
【技術分野】
【０００１】
本発明は、土木、建築などの工事現場において、建築物の外壁などに沿って設置する枠組足場に取り付ける枠組足場用手摺に関し、特に枠組足場の通路終端部に取り付ける枠組足場用手摺枠に関する。
【背景技術】
【０００２】
従来より、複数の建枠や足場板などを組み上げて構築する枠組足場において、通路両側には作業者の転落防止を図るために、鋼管を枠状に形成した手摺枠を取り付けている。また、枠組足場の通路両側下端部には作業者の転落防止や作業工具などの落下防止を図るための幅木を取り付けている。
【０００３】
一方、前記のような手摺枠の下端部に幅木を取り付けて一体化したものがある（特許文献１）。この手摺枠であれば、手摺枠の設置作業をするだけで幅木も同時に設置することができるため、従来別々に取り付け作業を行っていた手摺枠と幅木を効率良く容易に設置することができる。
【０００４】
ところで、枠組足場の通路終端部においても同様に、作業者の転落や作業工具などの落下といった危険性はある。そこで、この箇所にも特許文献１のごとき手摺枠を設置すれば同様に作業の安全性が確保できると考えられる。
【特許文献１】特開昭５２−１４０３４号公報
【発明の開示】
【発明が解決しようとする課題】
【０００５】
しかしながら、特許文献１の手摺枠は、枠組足場の通路側部に取り付けることを前提としたものであり、通路終端部に取り付けることを想定しておらず、例え手摺枠と幅木の幅サイズを建枠幅に変更して通路終端部に取り付けたとしても、足場板の端部と建枠の横架材間に存在する若干の隙間を埋めることができるものではなく、その隙間から作業工具などが落下するなどの不安全も予想される。
【０００６】
本発明は上記の点に鑑み、枠組足場の通路終端部に設置する作業安全性の高い枠組足場用手摺枠を提供することを課題とする。
【課題を解決するための手段】
【０００７】
上記の課題を解決するために、本発明の枠組足場用手摺枠は、建枠を上方向並びに水平方向に所望数配置して組み上げる枠組足場の通路終端部に設置する枠組足場用手摺枠であって、手摺枠の両側部には建枠両側の各脚柱に固定する固定クランプを備えると共に、手摺枠の下端部には略建枠幅の幅木を備え、かつ幅木の下端縁には足場板端部の上縁角部に係止させる断面略Ｌ字形状の係止片を備えたことを特徴としている。
【発明の効果】
【０００８】
本発明に係る枠組足場用手摺枠は、建枠を上方向並びに水平方向に所望数配置して組み上げる枠組足場の通路終端部に設置する枠組足場用手摺枠であって、手摺枠の両側部には建枠両側の各脚柱に固定する固定クランプを備えると共に、手摺枠の下端部には略建枠幅の幅木を備え、かつ幅木の下端縁には足場板端部の上縁角部に係止させる断面略Ｌ字形状の係止片を備えたので、手摺枠の幅木の下端縁の断面略Ｌ字形状の係止片を足場板端部の上縁角部に係止させて手摺枠を取り付ければ、足場板端部に幅木が密着して足場板端部側に隙間がなくなり、作業工具などを落下させることもなくて高い作業安全性を確保することができる。
【発明を実施するための最良の形態】
【０００９】
本発明に係わる枠組足場用手摺枠によれば、略建枠幅の手摺枠の両側部には建枠両側の各脚柱に固定する固定クランプをそれぞれ備えると共に、手摺枠の下端部には略建枠幅の幅木を固着する。更に、幅木の下端縁には足場板端部の上縁角部に係止させる断面略Ｌ字形状の係止片を備える。
【００１０】
そして、この枠組足場用手摺枠を、建枠や足場板などを上方向並びに水平方向に所望数配置して組み上げて成る枠組足場の通路終端部に設置する場合には、先ず、手摺枠下端部の幅木下端縁に備えた断面略Ｌ字形状の係止片を足場板端部の上縁角部に係止させる。このとき、足場板端部と建枠の横架材との間には若干の隙間が存在するものの、足場板端部に幅木を直接載置しているために足場板端部側には隙間は生じない。
【００１１】
次いで、前記係止片を支点として手摺枠を建枠の脚柱側へ若干傾倒させながら手摺枠の両側部に備えた固定クランプを脚柱に固定させ、手摺枠の設置を完了する。このとき、手摺枠の下端部は係止片にて足場板端部に係止させているだけであるが、手摺枠の上部側を足場板より遠ざかる方向へ傾倒させた状態で固定クランプにて脚柱に固定させるようにしたことにより、係止片と足場板端部とは押さえ付けられるように強固に係止され、例え多少の衝撃が加わったとしても外れてしまうことはない。
【００１２】
このように、枠組足場の通路終端部に対してごく簡単な取り付け作業で幅木付きの手摺枠を設置できると共に、設置完了時には足場板端部側に隙間なく幅木が配置されるため、高い作業安全性を確保することができる。
【実施例】
【００１３】
以下、本発明の実施例を図面に基づいて説明する。
【００１４】
図中のＡは建築現場などに設置される枠組足場であって、複数の略Ｈ形状の建枠Ｂを所定間隔にて平行に立設し、該建枠Ｂの脚柱Ｃ間に筋交いＥを掛け止めると共に、建枠Ｂの横架材Ｄ間には通路となる足場板Ｆを架設して一組の枠組足場Ａを構成し、これを上下左右に所望数連結している。なお、本実施例においては建枠Ｂを略Ｈ形状のものを使用しているが、特にこれに限定するものではなく、例えば一般によく利用されている鳥居形状のものなどでもよい。
【００１５】
そして、前記枠組足場Ａの通路終端部の開口部には、作業者の転落防止や作業工具などの落下防止を図るための枠組足場用の手摺枠１を設置している。前記手摺枠１は、複数の鋼管を折曲、及び溶接するなどして、略建枠Ｂの幅サイズで、かつ横架材Ｄから脚柱Ｃの頂部までの高さサイズの枠体形状に形成したものであり、前記開口部に丁度収まるサイズとしている。
【００１６】
手摺枠１の両側部には、建枠Ｂ両側の各脚柱Ｃに固定するための固定クランプ２をそれぞれ備えている。前記固定クランプ２は、建枠Ｂ両側の各脚柱Ｃを抱持するための所定長さを有した断面略Ｕ字形状の抱持部２ａと、締緩ボルト２ｂとから成り、該締緩ボルト２ｂの締緩操作に応じて前記抱持部２ａと脚柱Ｃとの固定、及び解除を行う構成としている。なお、前記固定クランプ２の抱持部２ａは、図２及び図４に示すように、手摺枠１の長手方向に対して若干傾斜した状態で固着しており、手摺枠１を建枠Ｂに対して傾倒させた状態で固定した際に、抱持部２ａが建枠Ｂの脚柱Ｃと係合するようにしている。
【００１７】
手摺枠１の下端部には、作業者が足下を踏み外して転落したり、或いは作業工具などが落下したりするのを防止するために、略建枠Ｂの幅サイズの幅木３を一体的に固着している。また、前記幅木３の下端縁には、図３に示すように、足場板Ｆの上縁角部Ｆａに係止させる断面略Ｌ字形状の係止片４を備えており、係止時には足場板Ｆ端部に幅木３が配置される構成としている。このとき、図２及び図３に示すように、足場板Ｆ端部と建枠Ｂの横架材Ｄとの間にはもともと若干の隙間が存在するものの、足場板Ｆ端部上面に幅木３を直接載置するために足場板Ｆ端部には作業上危険な隙間はなくなる。
【００１８】
なお、前記係止片４も、図３に示すように、手摺枠１の長手方向に対して若干傾斜した状態で固着しており、手摺枠１を建枠Ｂに対して傾倒させた状態で固定した際に、略Ｌ字形状の係止片４内面が足場板Ｆの上縁角部Ｆａに確実に係止できるようにしている。
【００１９】
しかして、前記枠組足場用手摺枠１を、枠組足場Ａの通路終端部の開口部に設置するときには、先ず、手摺枠１の幅木３下端縁に備えた係止片４を足場板Ｆ端部の上縁角部Ｆａに係止させ、足場板Ｆ端部に手摺枠１の幅木３を配置させる。次いで、前記係止片４を支点として手摺枠１を建枠Ｂの脚柱Ｃ側へ傾倒させながら、手摺枠１両側部の固定クランプ２を脚柱Ｃに固定させ、手摺枠１の開口部への設置作業を完了する。
【００２０】
このとき、手摺枠１は、その下端部の係止片４を足場板Ｆの上縁角部Ｆａに係止させているだけであるが、手摺枠１の上部側を足場板Ｆより遠ざかる方向へ傾倒させた状態で固定クランプ２にて脚柱Ｃに固定するようにしているので、係止片４と足場板Ｆ端部とは押さえ付けられた状態で強固に係止がなされ、設置後に手摺枠１に対して多少の衝撃が加わるようなことがあったとしても脱落してしまうことはない。
【００２１】
このように、枠組足場Ａの通路終端部に対してごく簡単な取り付け作業により迅速に手摺枠１を設置でき、また、設置完了時には足場板Ｆ端部に手摺枠１の幅木３が載置されるために、作業上の危険な隙間がなくなって作業者が作業中に転落したり、作業工具などを落下させたりといったことが防止でき、高い作業安全性を確保することができる。
【図面の簡単な説明】
【００２２】
【図１】本発明に係る枠組足場用手摺枠を枠組足場の通路終端部に取り付けた状態を示す正面図である。
【図２】図１の側面図である。
【図３】図２の一部を切り欠いた要部拡大図である。
【図４】図２の別の要部拡大図である。
【図５】本発明に係る枠組足場用手摺枠を枠組足場の通路終端部に取り付けた状態を示す斜視図である。
【符号の説明】
【００２３】
１…手摺枠                    ２…固定クランプ
３…幅木                      ４…係止片
Ａ…枠組足場                  Ｂ…建枠
Ｃ…脚柱                      Ｄ…横架材
Ｅ…筋交い                    Ｆ…足場板
【図１】
2006348626.tif 000003
【図２】
2006348626.tif 000004
【図３】
2006348626.tif 000005
【図４】
2006348626.tif 000006
【図５】
2006348626.tif 000007